(57)【要約】【課題】第１種及び第２種の２種類の収納部１５，１６を備えた貨幣処理装置１において、それらの収納部１５，１６についてのアクセス権限を遵守し得る運用を実現する。【解決手段】第１種の収納部（リサイクル収納部）１５を格納する本体２と、第１アクセス口２２を開閉する第１開閉体３とを含む防護筐体９を備え、第１開閉体３は、扉部３１と、第２種の収納部（回収カセット）１６を格納する格納部３２と、第２アクセス口３３を開閉する第２開閉体３４と、を含む。防護筐体９は、第１及び第２アクセス口２２，３３を共に閉塞することにより、収納部１５，１６を水平のアクセス方向に並んで配置させる第１状態と、第１アクセス口２２を開放することにより、第１種の収納部１５に対してのみアクセスを許容する第２状態と、第２アクセス口３３を開放することにより、第２種の収納部１６に対してのみアクセスを許容する第３状態とに切り替わる。【選択図】図２
2012108640.tif 000002
【特許請求の範囲】
【請求項１】
各々貨幣を収納する第１種の収納部及び第２種の収納部を備えた貨幣処理装置であって、
前記第１種の収納部を格納すると共に、当該第１種の収納部に対し、第１アクセス口を通じてアクセスすることが可能な本体と、前記第１アクセス口を開閉する第１開閉体と、を含んで構成される防護筐体を備え、
前記第１開閉体は、前記第１アクセス口を閉塞する扉部と、前記扉部に一体的に設けられかつ、前記第２種の収納部を格納する格納部と、前記扉部に形成された第２アクセス口を開閉するように当該扉部に取り付けられた第２開閉体と、を含んで構成され、
前記防護筐体は、
前記第１開閉体が前記第１アクセス口を閉塞すると共に、前記第２開閉体が前記第２アクセス口を閉塞することによって、前記第１種の収納部が、前記第１開閉体に対しアクセス方向の奥側、前記第２種の収納部が、前記第１開閉体に対し前記アクセス方向の手前側となるように、前記第１種及び第２種の収納部を前記アクセス方向に並んで配置させる第１状態と、
前記第１開閉体を動かして前記第１アクセス口を開放すると共に、前記第２開閉体が前記第２アクセス口を閉塞することによって、前記第２種の収納部を前記格納部内に格納したままで、前記本体内の前記第１種の収納部に対して、前記第１アクセス口を通じてアクセスすることを許容する第２状態と、
前記第１開閉体が前記第１アクセス口を閉塞すると共に、前記第２開閉体を開けて前記第２アクセス口を開放することによって、前記第１種の収納部を前記本体内に格納したままで、前記格納部内の前記第２種の収納部に対して、前記第２アクセス口を通じてアクセスすることを許容する第３状態と、
に切り替わるように構成されている貨幣処理装置。
【請求項２】
前記防護筐体は、前記第１開閉体が前記第１アクセス口を閉塞した状態で、格納している第１種の収納部を所定以上のセキュリティレベルで防護するように構成され、
前記第１開閉体は、前記第２開閉体が前記第２アクセス口を閉塞した状態で、前記格納部に格納している第２種の収納部を、前記所定以上のセキュリティレベルで防護するように構成され、
前記防護筐体は、
前記第１状態では、前記第１種及び第２種の収納部を前記所定以上のセキュリティレベルで防護し、
前記第２状態では、前記格納部内の前記第２種の収納部を前記所定以上のセキュリティレベルで防護しつつ、前記本体内の前記第１種の収納部へのアクセスを許容し、
前記第３状態では、前記本体内の前記第１種の収納部を前記所定以上のセキュリティレベルで防護しつつ、前記格納部内の前記第２種の収納部へのアクセスを許容する請求項１に記載の貨幣処理装置。
【請求項３】
前記格納部は、前記第１開閉体が前記第１アクセス口を閉塞した状態では、前記本体内に格納されるように構成されている請求項１又は２に記載の貨幣処理装置。
【請求項４】
前記第２種の収納部は、前記防護筐体が前記第３状態にあるときには、前記第２アクセス口を通じて、前記格納部に対し着脱されるように構成されている請求項１〜３のいずれか１項に記載の貨幣処理装置。
【請求項５】
前記第１種の収納部は、前記防護筐体が前記第２状態にあるときには、前記第１アクセス口を通じて前記本体の外に引き出されるように構成されている請求項１〜４のいずれか１項に記載の貨幣処理装置。
【請求項６】
前記第１開閉体は、前記本体に対し相対的に、所定の軸を中心として正転及び逆転方向に回動する請求項１〜５のいずれか１項に記載の貨幣処理装置。
【請求項７】
前記第１開閉体は、前記本体に対し相対的に、前記アクセスの方向に往復移動する請求項１〜５のいずれか１項に記載の貨幣処理装置。
【発明の詳細な説明】
【技術分野】
【０００１】
ここに開示する技術は、各々貨幣を収納する第１種及び第２種の収納部を備えた貨幣処理装置に関する。
【背景技術】
【０００２】
特許文献１は、例えば店舗等のバックオフィスに設置され、店舗の売上金等を入金（収納）することが可能であると共に、収納している紙幣（入金した紙幣を含む）を、例えば釣銭準備金として出金可能な、いわゆる循環式の紙幣入出金機を開示している。こうした入出金機に入金した売上金は、契約した警送会社等の集配業者が回収するように運用される場合があり、この運用を可能にするために、前記特許文献１に記載されている入出金機は、紙幣を収納する収納部として２種類の収納部を備えている。つまり、紙幣を繰り出し可能に収納するリサイクル収納部と、入出金機に対して着脱可能に取り付けられる回収カセットとの２種類である。集配業者は、回収カセットを入出金機から取り外すことによって、その回収カセットごと内部に収納している紙幣を回収する。特許文献１に記載された入出金機では、このリサイクル収納部及び回収カセットの２種類の収納部を、回収カセットが手前側、リサイクル収納部が奥側となるように、装置の奥行き方向に並べて、共に金庫内に格納するようにしており、これによって、紙幣が収容されるリサイクル収納部及び回収カセットを防護している。
【０００３】
特許文献２は、金庫構造を有するＡＴＭ（Automated Teller Machine）を開示しており、このＡＴＭの内部は、紙幣の取り扱いを行わないユニット（例えばカードを取り扱うカードユニット等）を収容する上部空間と、紙幣の取り扱いを行うユニット（例えば紙幣の収納部等）を収容する、上部空間とは独立した金庫構造の下部空間とを、上下に重ねて配置した構造を有している。そうして、ＡＴＭの背面側において、上部空間及び下部空間は、ＡＴＭの背面全体を覆う化粧扉によって開閉されると共に、金庫構造の下部空間には、金庫扉がさらに設けられて二重扉構造とされており、この構成のＡＴＭは、化粧扉を開けたときには上部空間のみが開放される一方、化粧扉と金庫扉との双方を開けることによって、上部空間と共に、下部空間が開放されるようになっている。
【先行技術文献】
【特許文献】
【０００４】
【特許文献１】特開２００１−２３６５４６号公報
【特許文献２】特開２００５−２６７１３０号公報
【発明の概要】
【発明が解決しようとする課題】
【０００５】
ところで、前記特許文献１に記載されている入出金機において、リサイクル収納部に収納されている貨幣は釣銭準備金としても出金可能であるため、リサイクル収納部乃至そこに収納されている貨幣は店舗側が管理することになる。そのため、例えばリサイクル収納部において紙幣の詰まり等のエラーが生じたときには、店舗の担当者が、それを解消することになる。
【０００６】
一方、店舗の担当者が、入出金機において所定の引渡操作を行うことにより、リサイクル収納部から回収カセット内に移された貨幣は、その回収カセットが入出金機に取り付けられていて集配業者が実際に回収していなくても、店舗側から集配業者側へと既に引き渡された貨幣として運用することが一般的である。従って、店舗の担当者は、回収カセットが入出金機に取り付けられていたとしても、その回収カセット乃至そこに収容されている貨幣を取り扱うことはできない。ここで、回収カセットの取り扱いとは、例えば回収カセットに触れて、これを取り外したり、これを開けたりする行為を含み、前述したリサイクル収納部の紙幣の詰まりを解消する等のメンテナンス作業も含め、収納部に対して行う種々な行為を総称して、以下においては「アクセス」という場合がある。また、前述のように、店舗の担当者がリサイクル収納部にアクセスできることは、「店舗の担当者は、リサイクル収納部に対するアクセス権限を有している」と表現する。前記の運用では、集配業者の担当者は、リサイクル収納部に対するアクセス権限を有していない。また、店舗の担当者は回収カセットに対するアクセス権限を有していない一方で、集配業者の担当者は、回収カセットに対するアクセス権限を有している。
【０００７】
前記特許文献１に記載されている入出金機のように、リサイクル収納部と回収カセットとを共に、金庫内に奥行き方向に並べて格納している構成では、回収カセットは金庫内の手前側に配置されているため、集配業者の担当者が、金庫を開けて、リサイクル収納部にアクセスすることなく回収カセットのみを取り出すことは、一応は可能である。しかしながらこの場合、金庫を開けた時点で、リサイクル収納部は何ら防護されていないことになる。このことは、リサイクル収納部のセキュリティを解除したことと等価であるから、アクセス権限の無い集配業者の担当者がリサイクル収納部にアクセスすることを、物理的に阻止することができない。
【０００８】
これに対し、リサイクル収納部において紙幣の詰まり等が発生した場合のように、店舗の担当者がリサイクル収納部にアクセスしようとしたときには、金庫を開けた後、手前側に配置されている回収カセットを動かさなければ、リサイクル収納部にアクセスすることができない。この場合、回収カセットのセキュリティが解除されることは勿論のこと、店舗の担当者は、アクセス権限が無いとしても回収カセットにアクセスしなければならない。
【０００９】
従って、特許文献１に記載されている入出金機のように、アクセス権限が互いに相違する２種類の収納部を、一つの金庫内に奥行き方向に並べて格納している構成は、そのアクセス権限を守りながら運用することは到底できず、これは運用上問題である。
【００１０】
アクセス権限が相異なる２種類の収納部は、互いに独立して金庫に格納することが好ましく、例えば特許文献２に記載されているＡＴＭのように上部空間及び下部空間の２つの空間を備えると共に、上部空間に一方の収納部を、下部空間に他方の収納部をそれぞれ格納する構成を採用することが考えられる。しかしながら、特許文献２に記載されているような二重扉構造では、前述したように化粧扉を開けたときには、上部空間及び下部空間の内の上部空間のみのセキュリティが解除されて、上部空間内の収納部にはアクセス可能で、下部空間内の収納部にはアクセスすることはできないものの、下部空間内の収納部にアクセスすべく化粧扉と金庫扉とを開けたときには、上部空間及び下部空間の双方のセキュリティが解除されて、上部空間内の収納部にもアクセス可能となってしまうため、アクセス権限を遵守することができない。
【００１１】
そこでさらに、特許文献２に記載されているＡＴＭの化粧扉に代えて、上部空間と下部空間とのそれぞれを、互いに独立した別の金庫扉で開閉するように構成することが考えられる。しかしながら、そもそも２つの空間を上下に重ねて配置するような特許文献２の構成は、装置が嵩高になってしまうという問題を有している。
【００１２】
ここに開示する技術は、かかる点に鑑みてなされたものであり、その目的とするところは、第１種及び第２種の２種類の収納部を備えた貨幣処理装置において、第１種及び第２種の収納部についてのアクセス権限を遵守し得る運用を実現することにある。
【課題を解決するための手段】
【００１３】
ここに開示する貨幣処理装置は、各々貨幣を収納する第１種の収納部及び第２種の収納部を備えた貨幣処理装置であって、前記第１種の収納部を格納すると共に、当該第１種の収納部に対し、第１アクセス口を通じてアクセスすることが可能な本体と、前記第１アクセス口を開閉する第１開閉体と、を含んで構成される防護筐体を備える。
【００１４】
前記第１開閉体は、前記第１アクセス口を閉塞する扉部と、前記扉部に一体的に設けられかつ、前記第２種の収納部を格納する格納部と、前記扉部に形成された第２アクセス口を開閉するように当該扉部に取り付けられた第２開閉体と、を含んで構成され、前記防護筐体は、前記第１開閉体が前記第１アクセス口を閉塞すると共に、前記第２開閉体が前記第２アクセス口を閉塞することによって、前記第１種の収納部が、前記第１開閉体に対しアクセス方向の奥側、前記第２種の収納部が、前記第１開閉体に対し前記アクセス方向の手前側となるように、前記第１種及び第２種の収納部を前記アクセス方向に並んで配置させる第１状態と、前記第１開閉体を動かして前記第１アクセス口を開放すると共に、前記第２開閉体が前記第２アクセス口を閉塞することによって、前記第２種の収納部を前記格納部内に格納したままで、前記本体内の前記第１種の収納部に対して、前記第１アクセス口を通じてアクセスすることを許容する第２状態と、前記第１開閉体が前記第１アクセス口を閉塞すると共に、前記第２開閉体を開けて前記第２アクセス口を開放することによって、前記第１種の収納部を前記本体内に格納したままで、前記格納部内の前記第２種の収納部に対して、前記第２アクセス口を通じてアクセスすることを許容する第３状態と、に切り替わるように構成されている。
【００１５】
ここで、貨幣処理装置のいわゆる正面及び、その正面に対して逆側の面である背面の方向を前後方向（奥行き方向）とし、正面及び背面に対し直交する面である左右の側面の方向を左右方向（幅方向）と定義したときに、防護筐体の第１アクセス口は、貨幣処理装置における正面側、背面側及び側面側のいずれの方向に開口していてもよい。また、「アクセス方向」は、前述した第１アクセス方向の開口の向きに対応するように設定してもよく、例えば第１アクセス口を装置の正面側で前向きに開口させたときや、第１アクセス口を装置の背面側で後向きに開口させたときには、「アクセス方向」は装置の前後方向（奥行き方向）としてもよい。また、第１アクセス口を装置の側面側で、右又は左向きに開口させたときには、「アクセス方向」は装置の左右方向（幅方向）としてもよい。
【００１６】
さらに、「防護筐体」は、第１種の収納部及び第２種の収納部の外周囲を囲って、これら第１種及び第２種の収納部を格納するための格納空間を区画形成する壁部を備えて構成される筐体とすればよく、第１種及び第２種の収納部を囲む壁部が、第１種及び第２種の収納部へのアクセスを物理的に阻害する。ここで、防護筐体の構造については特に限定されるものではないが、後述するように、所定以上のセキュリティレベルを有していることが、貨幣を収納する第１種及び第２種の収納部のセキュリティ性を高める上で、より好ましい。
【００１７】
前記の構成によると、第１開閉体が第１アクセス口を閉塞すると共に、第２開閉体が第２アクセス口を閉塞した第１状態、すなわち、貨幣処理装置の通常の使用状態では、各々貨幣を収納する第１及び第２種の収納部は、アクセス方向に水平に並んで配置されると共に、第１種の収納部は、第１開閉体によって閉塞された本体内に、第２種の収納部は、第２開閉体によって閉塞された格納部内にそれぞれ格納されるため、それらにアクセスすることは物理的に阻止される。
【００１８】
これに対し、第１開閉体を動かして第１アクセス口を開放すると共に、第２開閉体が第２アクセス口を閉塞した第２状態では、第１開閉体を動かすことに伴い第２種の収納部を格納した格納部が動くため、第２種の収納部にアクセスしなくてもこの第２種の収納部を動かすことができる。そうして第１アクセス口を開放することによって、本体内の奥側に配置される第１種の収納部に対し、第１アクセス口を通じてアクセスすることが許容される。一方、第２種の収納部は、第２開閉体に閉塞された格納部内に格納されたままであるため、第２種の収納部にアクセスすることは物理的に阻止される。従って、第１種の収納部に対するアクセス権限を有する担当者が、防護筐体を第１状態から第２状態へと移行させることによって、当該担当者が、第１種の収納部にアクセスすることを許容する一方、第２種の収納部にアクセスすることを禁止することが実現する。
【００１９】
また、第１開閉体が第１アクセス口を閉塞すると共に、第２開閉体を開けて第２アクセス口を開放した第３状態では、第１種の収納部は、第１開閉体によって閉塞された本体内に格納されているため、この第１格納部にアクセスすることは物理的に阻止される。一方、第２アクセス口が開放されることによって、この第２アクセス口を通じて第２種の収納部にアクセスすることは許容される。従って、第２種の収納部に対するアクセス権限を有する担当者が、防護筐体を第１状態から第３状態へと移行させることによって、当該担当者が、第２種の収納部にアクセスすることを許容する一方、第１種の収納部にアクセスすることを禁止することが実現する。
【００２０】
こうして、前記の構成では、防護筐体が第１、第２及び第３状態を切り替えることによって、アクセス権限が互いに異なる第１種及び第２種の収納部に対する、アクセスの許可及び禁止を物理的に制御することが可能になり、第１種及び第２種の収納部についてのアクセス権限を遵守し得る運用を実現することができる。
【００２１】
また、第１状態（通常状態）では、前述の通り、第１種の収納部と第２種の収納部とは水平のアクセス方向に並んで配置されるため、装置が嵩高になることが回避される。そしてそのように、第１種の収納部と第２種の収納部とをアクセス方向に並べていても、第１状態から、第１開閉体を開けて第２状態にしたときには、前述の通り、手前に配置されている第２種の収納部が動くことで、第１種の収納部へのアクセスが可能な状態に自動的に移行するため、高い操作性が得られる。
【００２２】
前記防護筐体は、前記第１開閉体が前記第１アクセス口を閉塞した状態で、格納している第１種の収納部を所定以上のセキュリティレベルで防護するように構成され、前記第１開閉体は、前記第２開閉体が前記第２アクセス口を閉塞した状態で、前記格納部に格納している第２種の収納部を、前記所定以上のセキュリティレベルで防護するように構成され、前記防護筐体は、前記第１状態では、前記第１種及び第２種の収納部を前記所定以上のセキュリティレベルで防護し、前記第２状態では、前記格納部内の前記第２種の収納部を前記所定以上のセキュリティレベルで防護しつつ、前記本体内の前記第１種の収納部へのアクセスを許容し、前記第３状態では、前記本体内の前記第１種の収納部を前記所定以上のセキュリティレベルで防護しつつ、前記格納部内の前記第２種の収納部へのアクセスを許容する、としてもよい。
【００２３】
ここで、「所定以上のセキュリティレベル」とは、例えば、セキュリティに関する所定の規格（例えばＵＬ２９１）を満足している、と定義してもよく、防護筐体は、所定の規格を満足するように、例えば強度等について、必要な構成を具備している、とすればよい。
【００２４】
前記の構成によると、第１状態では、第１種及び第２種の収納部双方に対するセキュリティが維持され、第２状態では、第１種の収納部に対するセキュリティが解除される一方、第２種の収納部に対するセキュリティが維持され、第３状態では、第１種の収納部に対するセキュリティが維持される一方、第２種の収納部に対するセキュリティが解除される。こうして、防護筐体を所定以上のセキュリティレベルを有するように構成することは、第１、第２及び第３状態のいずれの状態においても、第１種及び／又は第２種の収納部を十分なセキュリティレベルで防護することを可能にし、少なくとも貨幣を収納する貨幣処理装置のセキュリティ性を大幅に高めることができる。
【００２５】
前記格納部は、前記第１開閉体が前記第１アクセス口を閉塞した状態では、前記本体内に格納されるように構成されている、としてもよい。
【００２６】
こうすることで、第１状態におけるセキュリティ性の向上に、より有利になる。
【００２７】
前記第２種の収納部は、前記防護筐体が前記第３状態にあるときには、前記第２アクセス口を通じて、前記格納部に対し着脱されるように構成されている、としてもよい。
【００２８】
前述したように第２種の収納部は、第１開閉体が第１アクセス口を閉塞している第３状態においてはアクセス方向の手前側に配置され、第２アクセス口を通じて容易にアクセスし得るから、アクセス頻度が相対的に高い、例えば集配業者が回収する回収カセットとして構成することが好ましい。つまり、第２種の収納部（回収カセット）は、回収作業の容易化及び効率化の観点から、格納部に対し着脱されるように構成することが好ましい。尚、第２種の収納部が回収カセットである場合、第１種の収納部は、例えばリサイクル収納部となるため、定期メンテナンスやエラー発生時にのみアクセスされ、そのアクセス頻度はあまり高くない。このことから第１種の収納部（リサイクル収納部）を、アクセス方向の奥側に配置していても何ら不都合はない。
【００２９】
前記第１種の収納部は、前記防護筐体が前記第２状態にあるときには、前記第１アクセス口を通じて前記本体の外に引き出されるように構成されている、としてもよい。
【００３０】
アクセス方向の奥側に配置される第１種の収納部を手前側に引き出すことで、その第１種の収納部に対する、例えばメンテナンス作業の作業性が高まる。
【００３１】
前記第１開閉体は、前記本体に対し相対的に、所定の軸を中心として正転及び逆転方向に回動する、としてもよい。
【００３２】
第１開閉体が正転及び逆転方向に回動して第１アクセス口を開閉すると共に、第２状態では、その第１開閉体の回動と共に格納部も回動して第１アクセス口を開放することで、第１種の収納部へのアクセスが容易になる。これは、操作性の向上及び作業性の向上に有利になる。
【００３３】
前記第１開閉体は、前記本体に対し相対的に、前記アクセスの方向に往復移動する、としてもよい。
【００３４】
第１開閉体がアクセスの方向に往復移動して第１アクセス口を開閉すると共に、第２状態では、その第１開閉体の移動と共に格納部も移動して第１アクセス口を開放することで、第１種の収納部へのアクセスが容易になる。これは、前記の構成と同様に、操作性の向上及び作業性の向上に有利になる。
【発明の効果】
【００３５】
以上説明したように、前記の貨幣処理装置は、防護筐体が第１、第２及び第３状態を切り替えることによって、アクセス権限が互いに異なる第１種及び第２種の収納部のそれぞれに対する、アクセスの許可及び禁止を、個別かつ物理的に制御することが可能になる。
【図面の簡単な説明】
【００３６】
【図１】売上金入出金機の内部構成を示す図である。
【図２】売上金入出金機の金庫部分の構成を概略的に示す図である。
【図３】売上金入出金機の金庫部分において、第１開閉体を開けた状態（第２状態）を示す斜視図である。
【図４】売上金入出金機の金庫部分において、第２開閉体を開けた状態（第３状態）を示す斜視図である。
【図５】図２〜４とは異なる構成の金庫部分において、第１開閉体を開けた状態を示す図３対応図である。
【図６】図２とは異なる金庫部分の構成を概略的に示す図２対応図である。
【発明を実施するための形態】
【００３７】
以下、貨幣処理装置の実施形態を図面に基づいて説明する。尚、以下の好ましい実施形態の説明は、本質的に例示に過ぎない。図１は、貨幣処理装置の例としての、売上金入出金機（以下、単に入出金機という）１の概略構成を示している。入出金機１は、スーパーマーケット等の小売店舗（以下、単に店舗という）におけるリテールシステムの一部を構成する装置であり、店舗のバックオフィスに設置される。尚、入出金機１は、紙幣及び硬貨の入出金処理等が可能であるが、以下では主として紙幣の処理について述べる。
【００３８】
入出金機１は、店舗の売上金を入金（収納）する装置であると共に、そこに収納している貨幣を、釣銭準備金として出金する装置であり、この入出金機１は特に、入金された売上金を釣銭準備金として払い出すことが可能な、いわゆるリサイクル式に構成されている。入出金機１に入金した売上金は、契約した警送会社等の集配業者が回収する運用となっている。
【００３９】
入出金機１は、相対的に上側の部分が制御部分１０１、相対的に下側の部分が金庫部分１０２として構成されており、図１に示すように、制御部分１０１を構成する筐体１１の内部に、入金部１２、出金部１３及び識別部１４が内蔵され、金庫部分１０２を構成する防護筐体９内に、第１種の収納部としてのリサイクル収納部１５、及び、第２種の収納部としての回収カセット１６が格納されており、紙幣を一枚ずつ搬送する搬送路１７によって、これらの各部及びカセット１２〜１６を互いに連結することによって、入出金機１は構成されている。尚、図１に示す防護筐体９は、その構成を、単に概念的に示しているに過ぎず、以下において図２〜６を参照しながら説明する防護筐体９の、具体的な各構成とは、必ずしも対応しない。また、以下においては説明の便宜上、図１の左側を前側、右側を後側と呼ぶ。ここで「前側」は、店舗又は警送会社の担当者が各種の操作等を行う、入出金機１の正面側に対応し、「後側」は、入出金機１の背面側に対応する。前後方向はまた、入出金機１の奥行き方向と言い換えることが可能である。
【００４０】
入金部１２は、詳細な図示は省略するが、入出金機１の前側において、筐体１１外に開口すると共に、複数枚の紙幣を一度に受け入れ可能な入金口と、入金口に投入された複数枚の紙幣を一枚ずつ繰り出す繰り出し機構とを備えている。
【００４１】
識別部１４は、入金部１２に対し、図１に実線の矢印で示す紙幣の搬送方向の下流側の搬送路１７上に配置されており、入金部１２から繰り出された紙幣の一枚一枚について、その真偽、金種及び正損を識別するように構成されている。
【００４２】
リサイクル収納部１５は、識別部１４に対し紙幣搬送方向の下流側に配置されており、より詳細には、搬送路１７上に設けた第１分岐１７１において分岐し、上下に延びる分岐搬送路に接続されている。リサイクル収納部１５は、図例では８個のテープ巻き取り方式の収納ユニット１５１を含んで構成されているが、収納ユニット１５１の数は特に限定されず、１個以上で、適宜の数を設定すればよい。８個の収納ユニット１５１は、この例では、上下に４個並んで１列を構成すると共に、その列が前後方向に２列並んでおり、その各々の収納ユニット１５１が、分岐機構を介して上下に延びる分岐搬送路に接続されている。各分岐機構は、図示は省略する制御部によって駆動制御されることにより、紙幣が、識別部１４によって識別された金種及び／又は正損に応じて複数の収納ユニット１５１に振り分けられて収納されることになる。
【００４３】
出金部１３は、入出金機１の前側において筐体１１外に開口すると共に、複数枚の紙幣を一度に保持可能な出金口を備えており、搬送路１７において、実線の矢印で示される紙幣搬送方向の下流端が接続されている。これにより、出金部１３には、識別部１４を通過した紙幣がそのまま搬送されて、それを筐体１１の外に払い出すか、又は、いずれかのテープ巻き取り方式の収納ユニット１５１から繰り出された紙幣が搬送されて、それを筐体１１の外に払い出す。前者は、例えば入金処理において、入金部１２に投入された紙幣の内、識別不可であった紙幣がリジェクトされる場合に相当し、後者は、例えば出金処理において紙幣を払い出す場合に相当する。
【００４４】
回収カセット１６は、第１分岐１７１と出金部１３との間の搬送路１７上に設けられた第２分岐１７２において分岐した分岐搬送路に接続されている。これにより、回収カセット１６には、出金部１３と同様に、識別部１４を通過した紙幣がそのまま搬送されるか、又は、いずれかのテープ巻き取り方式の収納ユニット１５１から繰り出された紙幣が搬送される。回収カセット１６は、詳しくは後述するが、入出金機１の防護筐体９に対し着脱可能に取り付けられる。警送会社が売上金を回収する回収処理時には、その売上金は回収カセット１６に収納されており、警送会社の担当者が防護筐体９から回収カセット１６を取り外すことによって、売上金が回収されることになる。尚、回収カセット１６を取り外した後は、別の回収カセット１６が防護筐体９に取り付けられることになる。
【００４５】
回収カセット１６は、詳細な図示は省略するが、テープ巻き取り式の収納ユニットとは異なり、その内部に昇降する集積台を備えており、この集積台上に紙幣を重ねて収納するように構成されている。尚、この例では回収カセット１６を採用しているが、これに代えて、例えばパウチと呼ばれる、樹脂製や布製の、防護筐体９に対し着脱可能に取り付けられる袋等を採用してもよい。
【００４６】
この入出金機１では、店舗の担当者又は警送会社の担当者が入出金機１の操作を行うことに応じて、前述した制御部が各部等１２〜１６を駆動制御することにより、入金処理、引渡処理、補充処理、回収処理及び出金処理を含む各種処理を実行する。
【００４７】
ここで、入金処理は、店舗の売上金を、入出金機１に入金（収納）する処理であり、入出金機１は、入金部１２に投入された売上金（紙幣）を、識別部１４における識別結果に応じて、所定の収納ユニット１５１又は回収カセット１６に収納する。尚、識別部１４において識別不可の紙幣等、入出金機１がそのまま受け入れることができない紙幣は、例えば出金部１３を通じてリジェクトされる。
【００４８】
引渡処理は、店舗の売上金を警送会社に引き渡すための処理であり、店舗の担当者の操作に従って、入出金機１は、リサイクル収納部１５に収納されている紙幣の全て又は一部を繰り出して、それを回収カセット１６に収納し直す。
【００４９】
補充処理は、入出金機１内に紙幣を補充するための処理であり、入出金機１は、入金部１２に投入された補充用の紙幣をリサイクル収納部１５に収納する。この補充処理は、店舗の担当者が行う場合、及び、警送会社の担当者が行う場合がある。
【００５０】
回収処理は、警送会社が店舗の売上金を回収するために、警送会社の担当者が入出金機１の回収カセット１６を取り外す処理である。入出金機１は、詳しくは後述するが、警送会社の担当者の操作に従って、通常は施錠されている防護筐体９を解錠し、回収カセット１６の取り外しを許容する。
【００５１】
出金処理は、入出金機１に収納されている紙幣を、例えば釣銭準備金として払い出す処理であり、入出金機１は、リサイクル収納部１５に収納されている紙幣を繰り出して、それを出金部１３を通じて払い出す。
【００５２】
この入出金機１では、リサイクル収納部１５に収納されている紙幣は、釣銭準備金として払い出されるため、店舗側が管理する紙幣となり、このリサイクル収納部１５乃至そこに収納している紙幣については、店舗の担当者が取り扱い（アクセス）することが可能である。つまり、店舗の担当者はリサイクル収納部１５に対するアクセス権限を有している。これに対し、前述した引渡処理を実行することによって、リサイクル収納部１５から回収カセット１６に紙幣を移した場合、この回収カセット１６が入出金機１に取り付けられたままであって実際には回収されていなくても、そこに収容されている紙幣は、警送会社に引き渡されたとして運用される。つまり、回収カセット１６に収納されている紙幣は、回収カセット１６が入出金機１の防護筐体９に格納された状態でも、警送会社側が管理する紙幣となる。このため、回収カセット１６に対するアクセス権限は、警送会社の担当者が有しており、店舗の担当者は回収カセット１６に対するアクセス権限を有していない。
【００５３】
このように入出金機１の防護筐体９には、リサイクル収納部１５と回収カセット１６との、アクセス権限が相異なる２種類の収納部が格納されているが、この防護筐体９は、そのリサイクル収納部１５に対するアクセス権限と、回収カセット１６に対するアクセス権限とを遵守しつつ、リサイクル収納部１５へのアクセスと、回収カセット１６へのアクセスとを、それぞれ個別に実現し得る点が特徴的であり、以下、図２〜４を参照しながら、防護筐体９の構成について詳細に説明する。
【００５４】
防護筐体９は、前述したように入出金機１の下部を構成して、リサイクル収納部１５及び回収カセット１６を格納する筐体であり、格納したリサイクル収納部１５及び回収カセット１６を、所定以上のセキュリティレベルで防護する。尚、図２〜４においては、リサイクル収納部１５を概略的に図示している。
【００５５】
図２に端的に示すように、防護筐体９は、本体２と、第１開閉体３と、を含んで構成されている。本体２は、略矩形箱状であって、その内部にリサイクル収納部１５及び回収カセット１６を格納可能な格納空間２０を有している。本体２は、その上下、左右、及び後部がそれぞれ、所定以上の厚みを有しかつ、所定以上の強度を有する防護壁２１によって区画されている一方、その前部には、前方に向かって開口する第１アクセス口２２が形成されている（図３も参照）。この第１アクセス口２２は、後述するように、格納空間２０に格納しているリサイクル収納部１５にアクセスするための開口である。そうして本体２は、図例では、左右方向（幅方向）に対し、前後方向（奥行き方向）が相対的に長い形状を有しており、これによりこの本体２は、その格納空間２０内に、入出金機１の前側に対しリサイクル収納部１５が奥側、回収カセット１６が手前側となるように、リサイクル収納部１５及び回収カセット１６を奥行き方向に並べて格納するように構成されている。
【００５６】
第１開閉体３は、本体２の第１アクセス口２２を開閉するものであって、第１アクセス口２２に嵌り込んでこの第１アクセス口２２を閉塞する扉部３１と、扉部３１の背面側に一体的に取り付けられた格納部３２と、を備えている。
【００５７】
扉部３１は、本体２を構成する防護壁２１と同様に、所定以上の厚みを有しかつ、所定以上の強度を有する矩形平板状であって（図３，４も参照）、左右方向の一側（図例では、入出金機１の正面向かって右側）において、本体２に対しヒンジ結合されている。これにより扉部３１は、上下方向に伸びる軸回りに正転方向及び逆転方向の双方に回動をして、第１アクセス口２２を閉塞する状態と、第１アクセス口２２を開放する状態とに切り替わる。また、この扉部３１の回動に伴い、この扉部３１に一体的に取り付けられた格納部３２も、軸を中心として正転方向及び逆転方向に回動をし、扉部３１が第１アクセス口２２を閉塞した状態では、格納部３２は本体２内に格納される（図２の実線、及び、図４参照）一方、扉部３１が第１アクセス口２２を開放した状態では、格納部３２は本体２の外に出されることになる（図２の一点鎖線、及び、図３参照）。
【００５８】
格納部３２は、詳細な図示は省略するが、その内部に回収カセット１６が着脱可能に取り付けられることにより、この回収カセット１６を格納しており、格納部３２は、前記本体２の防護壁２１や扉部３１と同様に、所定以上の厚みを有しかつ、所定以上の強度を有する防護壁３２１によって区画形成されている。格納部３２は、扉部３１と一体となって回動する際に、本体２を構成する防護壁２１との干渉を回避し得るように、その形状及びその配置が決定されている。尚、格納部３２の防護壁３２１には、内部に格納した回収カセット１６に対して紙幣を搬送可能となるように、紙幣が通過可能なスリット３２２が、厚み方向に貫通して形成されている（図３参照）。
【００５９】
そうして、第１開閉体３の扉部３１には、その板厚方向に貫通形成されかつ、格納部３２の内部空間（回収カセット１６を格納する空間）に連通する第２アクセス口３３が設けられており（図２，４参照）、扉部３１にはまた、第２アクセス口３３を開閉する第２開閉体３４が取り付けられている。
【００６０】
第２開閉体３４は、矩形状に開口する第２アクセス口３３に対応するように、矩形平板状の扉であり、扉部３１に対し、左右方向の一側（図例では、入出金機１の正面向かって左側）においてヒンジ結合されている。これにより、第２開閉体３４は、上下方向に延びる軸を中心として正転方向及び逆転方向の双方に回動し、それによって、第２アクセス口３３を閉塞する状態と、第２アクセス口３３を開放する状態とに切り替わる（図２の二点鎖線及び図４参照）。
【００６１】
尚、符号３５は、第１開閉体３を開閉するためのハンドルであり、このハンドル３５は、後述するように、リサイクル収納部１５に対するアクセス権限を有する店舗の担当者が操作をするのに対し、符号３６は、第２開閉体３４を開閉するためのハンドルであり、このハンドル３６は、回収カセット１６に対するアクセス権限を有する警送会社の担当者が操作をする。
【００６２】
そうして図２に実線で示すように、第１開閉体３が本体２の第１アクセス口２２を閉塞すると共に、第２開閉体３４が扉部３１の第２アクセス口３３を閉塞した状態では、防護筐体９は、本体２の格納空間２０内に、リサイクル収納部１５と、格納部３２に格納された回収カセット１６とを奥行き方向（前後方向）に並べて格納するように構成されている。ここで前述したように、本体２を区画形成する防護壁２１、第１開閉体３の扉部３１、格納部３２を区画形成する防護壁３２１はそれぞれ、所定以上の厚みを有しかつ、所定以上の強度を有していると共に、本体２と第１開閉体３との間のヒンジ結合や、扉部３１と第２開閉体との間のヒンジ結合部分もまた、所定以上の強度を有するように構成されており、これにより、防護筐体９は、内部に格納しているリサイクル収納部１５や回収カセット１６を、所定以上のセキュリティレベルで防護するように構成されている。具体的に、一例として、セキュリティに関するＵＬ２９１（Underwriters Laboratories（登録商標））規格を満足する構成としてもよい。こうして第１開閉体３が本体２の第１アクセス口２２を閉塞すると共に、第２開閉体３４が扉部３１の第２アクセス口３３を閉塞することにより、リサイクル収納部１５や回収カセット１６を所定以上のセキュリティレベルで防護した状態は、入出金機１の通常の使用状態に相当する（第１状態）。尚、図示は省略するが、この第１状態では、第１開閉体３及び第２開閉体３４は共に、例えばＵＬ規格を満足するように施錠されていることは言うまでもない。
【００６３】
この第１状態に対し、図３に示すように、第２開閉体３４は閉じたままで、第１開閉体３を開けたときには、図２に一点鎖線でも示すように第１アクセス口２２が装置１の前方に向かって開放される。これによって、本体２内に格納しているリサイクル収納部１５に、第１アクセス口２２を通じてアクセスすることが可能になる。例えば図３に一点鎖線で示すように、スライドレール４を利用して奥行き方向に往復移動可能に、リサイクル収納部１５を本体２内に格納しているような構成においては、本体２内の奥側に配置されているリサイクル収納部１５を、手前側に移動させて、本体２の外にまで引き出すことが可能になる。
【００６４】
これは、リサイクル収納部１５における紙幣の詰まりの解消や、リサイクル収納部１５のメンテナンスを行う状態に相当し（第２状態）、第１状態から第２状態への移行は、リサイクル収納部１５に対するアクセス権限を有する、例えば店舗の担当者が、入出金機１において、ユーザ認証を含む所定の操作を行って第１開閉体３を解錠することによってのみ行うことができる。尚、第１開閉体３に、それを施錠及び解錠するキーシリンダを設け、店舗の担当者がキーシリンダに、自身が管理するキーを差し込むことによって第１開閉体３を解錠する構成を採用してもよい。従って、リサイクル収納部１５に対するアクセス権限を有しない者、例えば警送会社の担当者は、第１状態から第２状態への移行を行うことができない。
【００６５】
この第２状態では、第２開閉体３４が第２アクセス口３３を閉塞したままであるため、格納部３２内に格納された回収カセット１６は、その格納部３２及び扉部３１を含む防護筐体９によって、所定のセキュリティレベルを維持した状態で防護される。言い換えると、この防護筐体９は、回収カセット１６を所定以上のセキュリティレベルで防護したままで、リサイクル収納部１５のセキュリティのみを解除して、そのリサイクル収納部１５へのアクセスを可能にしている。このことはまた、リサイクル収納部１５のメンテナンス等を行う者は回収カセット１６にアクセスできないことを保証する。
【００６６】
また、第１及び第２状態に対し、図４に示すように、第１開閉体３は閉じたままで、第２開閉体３４を開けたときには、図２に二点鎖線でも示すように第２アクセス口３３が装置１の前方に向かって開放されるため、格納部３２内に格納している回収カセット１６を、第２アクセス口３３を通じて取り出すことが可能になる。これは、前記の回収処理時の状態に相当し（第３状態）、第１状態から第３状態への移行は、回収カセット１６に対するアクセス権限を有する警送会社の担当者が、入出金機１において、ユーザ認証を含む所定の操作を行って第２開閉体３４を解錠することによってのみ行うことができる。尚、第２開閉体３４に、それを施錠及び解錠するキーシリンダを設け、警送会社の担当者がキーシリンダに、自身が管理するキーを差し込むことによって第２開閉体３４を解錠する構成を採用してもよい。従って、回収カセット１６に対するアクセス権限を有しない者、例えば店舗の担当者は、第１状態から第３状態への移行を行うことができない。
【００６７】
この第３状態では、第１開閉体３が第１アクセス口２２を閉塞したままであるため、本体２内に格納されたリサイクル収納部１５は、その本体２及び第１開閉体３を含む防護筐体９によって、所定のセキュリティレベルを維持した状態で防護される。言い換えると、この防護筐体９は、リサイクル収納部１５を所定以上のセキュリティレベルで防護したままで、回収カセット１６のセキュリティのみを解除して、その回収カセット１６の取り外し及び取り付けを可能にしている。このことはまた、回収カセット１６の回収処理を行う警送会社の担当者はリサイクル収納部１５にアクセスできないことを保証する。
【００６８】
こうして、この入出金機１が備える防護筐体９は、第１、第２及び第３状態が切り替わることによって、アクセス権限が互いに異なるリサイクル収納部１５及び回収カセット１６に対するアクセスの許可及び禁止を、個別かつ物理的に制御することが可能になる。従って、前述したように、この入出金機１においては、リサイクル収納部１５及び回収カセット１６についてのアクセス権限を遵守し得る運用が実現し得る。
【００６９】
また、第１状態から第２状態（図３）への移行に際しては、第１開閉体３を開ける操作を行うことだけで、その扉部３１と共に、回収カセット１６を格納する格納部３２が移動をして、第１アクセス口２２が開放されかつ、その第１アクセス口２２とリサイクル収納部１５との間の空間が開放される。そうしてそのまま、リサイクル収納部１５へのアクセスが可能になる。同様に第１状態から第３状態（図４）への移行に際しても、第２開閉体３４を開ける操作を行うことだけで、回収カセット１６へのアクセスが可能になる。つまり、前述した防護筐体９の構成は、第１開閉体３及び第２開閉体３４の一方を開ける操作を行うことだけで、リサイクル収納部１５又は回収カセット１６にアクセスすることが可能であり、入出金機１の高い操作性が得られる。
【００７０】
また、そうして、アクセス権限の遵守を実現しつつも、入出金機１の通常の使用状態である第１状態では、リサイクル収納部１５と回収カセット１６とが、入出金機１の奥行き方向に並んで配置されるため、入出金機１が嵩高になったり幅広になったりすることが回避される。つまり、アクセス権限の遵守を実現すべく、リサイクル収納部１５を格納する空間と、この格納空間とは独立した回収カセット１６用の別の格納空間とを上下に重ねると共に、それらの開閉扉を上下に重ねて配置した場合と比較して、入出金機１は、高さ方向にコンパクトになり得る。これは、入出金機１の設置場所の制約を少なくする上で有利になり得る。
【００７１】
さらに、リサイクル収納部１５へのアクセスは、前述の通り、紙幣の詰まりの解消や、メンテナンス時に限られ、そのアクセス頻度は比較的低いのに対し、回収カセット１６は、例えば定期的に回収されるため、そのアクセス頻度は、リサイクル収納部１５へのアクセス頻度よりも高い。そのため、相対的にアクセス頻度の高い回収カセット１６を、少なくとも第３状態では入出金機１の正面に対し手前側に配置する一方で、相対的にアクセス頻度の低いリサイクル収納部１５を、入出金機１の正面に対し奥側に配置することで、回収処理時の操作性が向上し、入出金機１の運用がスムースになり得る。
【００７２】
（その他の構成例）
ここで、図２〜４に示す構成例では、第１開閉体３の扉部３１を本体２にヒンジ結合することにより、上下に伸びる軸回りに回動させているが、第１開閉体３は、例えば図５に示すように引き出し式の構成を採用することも可能である。
【００７３】
すなわち、第１開閉体３の扉部３１を、本体２に固定されたスライドレール４の前端に取り付けることで、この扉部３１を本体２に対し相対的に、前後方向に往復移動するようにし、このことにより、扉部３１が本体２の第１アクセス口２２に嵌め込まれて、この第１アクセス口２２を閉塞した状態と、扉部３１が前方に移動して、第１アクセス口２２を開放した状態とに切り替わるようにしてもよい。
【００７４】
この構成においても、回収カセット１６を着脱可能に格納する格納部３２は、前記と同様に、扉部３１に対して一体的に設けるようにすればよく、この構成は、扉部３１に形成された第２アクセス口３３を通じて、この回収カセット１６を格納部３２に対し着脱することを可能にする。尚、第２アクセス口３３は、図例のように、上下方向に伸びる軸回りに回動するよう扉部３１に取り付けた第２開閉体３４によって開閉してもよい。
【００７５】
また、この引き出し式の構成では、扉部３１が取り付けられたスライドレール４に対し、リサイクル収納部１５を結合しておくことにより、第１アクセス口２２を開放すると同時に、リサイクル収納部１５を、本体２の外に引き出すことが可能になる。図５は、防護筐体９の第２状態を示しており、前述したように、リサイクル収納部１５に対するアクセス権限を有する、例えば店舗の担当者が、入出金機１において所定の操作を行い第１開閉体３を解錠することにより、第１開閉体３を前方へと移動させて、リサイクル収納部１５を本体２の外に引き出すことが可能になる。このときに、回収カセット１６は格納部３２内に格納されたままであるため、所定以上のセキュリティレベルが維持されることになる。
【００７６】
尚、図示は省略するが、この引き出し式の第１開閉体３を備えた防護筐体９において、第１状態は、第１開閉体３を閉じると共に、第２開閉体３４を閉じた状態であり、第３状態は、第１開閉体３を閉じると共に、第２開閉体３４を開けた状態であり、それぞれ前述した構成例における第１状態及び第３状態と同じである。また、図５に示す防護筐体９おいて、図２〜４に示す防護筐体９と実質的に同じ構成の部分については、同じ符号を付している。
【００７７】
また、図２〜図５に示す構成例では、第１開閉体３の平板状の扉部３１が、本体２に形成された第１アクセス口２２に嵌り込んで、これを直接的に開閉しているが、例えば図６に示すように、第１開閉体３の扉部３１と格納部３２とを実質的に一つにして、格納部３２の背面側で、本体２の第１アクセス口２２を開閉するような構成を採用してもよい（図６の実線及び一点鎖線参照）。この構成では、第１開閉体３が第１アクセス口２２を閉塞したときに、格納部３２が本体２内に格納されないものの、扉部３１、格納部３２及び第２開閉体３４を含んで構成される第１開閉体３が、それ単独で、所定以上のセキュリティレベルを確保するように構成することによって、本体２内に格納されたリサイクル収納部１５を、所定以上のセキュリティレベルで防護することは勿論のこと、格納部３２内に格納している回収カセット１６を、所定以上のセキュリティレベルで防護することが可能になる。尚、図６に示す防護筐体９おいて、図２〜４に示す防護筐体９と実質的に同じ構成の部分については、同じ符号を付している。
【００７８】
尚、リサイクル収納部１５の数や、回収カセット１６の数には制約はなく、複数のリサイクル収納部１５、及び／又は、複数の回収カセット１６を備えるようにしてもよい。
【００７９】
また、前記の説明では、第１アクセス口２２及び第２アクセス口３３はそれぞれ、入出金機１の正面に開口しているが、第１及び第２アクセス口２２，３３はそれぞれ、入出金機１の背面に開口していてもよい。この場合も前記と同様に、第１アクセス口２２を通じたリサイクル収納部１５へのアクセス方向、及び第２アクセス口３３を通じた回収カセット１６へのアクセス方向はそれぞれ、前後方向（奥行き方向）にすればよい。また、第１アクセス口２２及び第２アクセス口３３はそれぞれ、入出金機１の左右いずれかの側面に開口していてもよい。この場合は、第１アクセス口２２を通じたリサイクル収納部１５へのアクセス方向、及び第２アクセス口３３を通じた回収カセット１６へのアクセス方向はそれぞれ、左右方向（幅方向）にすればよい。
【００８０】
さらに、前述した説明では、紙幣及び硬貨の双方の処理を行う売上金入出金機１を例示しているが、例えば紙幣のみを処理する紙幣入出金機や、硬貨のみを処理する硬貨入出金機に、ここに開示する防護筐体９を適用してもよい。
【００８１】
さらに、店舗等に設置される売上金入出金機１に限定されず、ここに開示する防護筐体９は、銀行等に設置される入出金機に適用することも可能である。また、入出金機に限定されず、貨幣を収納する収納部として、アクセス権限が相異なる２種類の収納部を備えた貨幣処理装置に広く適用することが可能である。
【産業上の利用可能性】
【００８２】
以上説明したように、ここに開示した貨幣処理装置は、互いに異なるアクセス権限が設定された第１種及び第２種の２種類の収納部を備えた貨幣処理装置において、第１種及び第２種の収納部についてのアクセス権限を遵守し得る運用が可能になるため、入金機、出金機及び入出金機等を含む、各種の紙幣処理装置に有用である。
【符号の説明】
【００８３】
１  入出金機（貨幣処理装置）
２  本体
３  第１開閉体
９  防護筐体
１５  リサイクル収納部（第１種の収納部）
１６  回収カセット（第２種の収納部）
２２  第１アクセス口
３１  扉部
３２  格納部
３３  第２アクセス口
３４  第２開閉体
【図１】
2012108640.tif 000003
【図２】
2012108640.tif 000004
【図３】
2012108640.tif 000005
【図４】
2012108640.tif 000006
【図５】
2012108640.tif 000007
【図６】
2012108640.tif 000008